(57)【要約】【課題】本発明は、回転伸縮ジャッキに関し、ピストンが単に昇降するだけでなく、それに回転作用を付与することで作業能率を向上させるようにすることが課題である。【解決手段】先端に載荷用のヘッドを有するピストン２と、該ピストンを摺動自在に油圧室に内装し当該油圧室に外部と連通させる貫通孔が設けられると共に前記ヘッド２ａを一端側開口部３ｅから外部に突出させる有底筒状体のシリンダ３と、前記ピストン２の軸心に沿ってピストン中央部に穿設された凹部のネジ溝２ｃにほぼ全体が螺合し一端部が前記シリンダ内部の底部中央３ｆｇに起立させて立設されネジ棒４とからなる回転伸縮ジャッキ１である。【選択図】図１
2007039220.tif 000002
【特許請求の範囲】
【請求項１】
先端に載荷用のヘッドを有するピストンと、
該ピストンを摺動自在に油圧室に内装し当該油圧室に外部と連通させる貫通孔が設けられると共に前記ヘッドを一端側開口部から外部に突出させる有底筒状体のシリンダと、
前記ピストンの軸心に沿ってピストン中央部に穿設された凹部のネジ溝にほぼ全体が螺合し一端部が前記シリンダ内部の底部中央に起立させて立設されネジ棒とからなること、
を特徴とする回転伸縮ジャッキ。
【請求項２】
先端に載荷用のヘッドを有しその後部にネジ部を有するとともに該ネジ部の後部に円筒状の本体部を有するピストンと、
該ピストンの本体部を摺動自在に油圧室に内装し当該油圧室に外部と連通させる貫通孔が設けられると共に前記ピストンのネジ部と螺合するネジ部が前記油圧室に連通する筒部の内周壁面に刻設され前記ヘッドを当該連通する筒部の一端側開口部から外部に突出させる有底筒状体のシリンダとからなること、
を特徴とする回転伸縮ジャッキ。
【発明の詳細な説明】
【技術分野】
【０００１】
本発明は、油圧ジャッキに係り、ピストンロッドの伸縮と同時に、該ピストンロッドが回転を伴うようにした回転伸縮ジャッキに関するものである。
【背景技術】
【０００２】
従来、油圧ジャッキ１０は、図４に示すように、シリンダ３とピストン２とでなり、例えば、一方の油圧室に高圧油を供給して、他方の油圧室からは油を抜いて、前記ピストン２を昇降させるものである。更に、図５に示すように、ジャッキ１１において、昇降するピストン２のロッド部にネジ溝２ｆを設け、該ネジ溝２ｆにシリンダ外部において螺合するカラーナット７を下方向に締め込むことで、伸長したピストンロッドを位置決めしてロックさせるものが知られている。このほか、ネジ溝を設けた油圧ジャッキとしては、例えば、ピストンロッドに外嵌合させたシリンダの外周部にネジ溝を設けて油圧ジャッキを構成し、高圧油を供給して前記シリンダを上昇させてこれに螺装させた支承体を位置決めさせ、更に前記ピストンロッドに螺装したストッパを上昇させて前記シリンダをロックするようにしたものが知られている（特許文献１参照）。
【特許文献１】特開平１１−２０８７７７号公報
【発明の開示】
【発明が解決しようとする課題】
【０００３】
しかし、従来の油圧ジャッキでは、単に油を供給することでピストンを押し上げたり下げたりするものである。前記特許文献１のジャッキにおいても、ストッパや支承体の位置決めのためにピストンロッドやシリンダにネジ溝が設けられているものであって、ピストンが回転することはない。
【０００４】
このように、従来のジャッキはピストンの押し込む力だけを利用しているので、例えば、プレス機械では機械が大きくなり、且つ、亀裂が入りやすい現象が生じる。また、旋盤加工においても加工品を伸長させるだけでなく、回転させることもできれば多面の加工が可能と成り作業工程数も軽減されるが、現実にはそのようなものがない。更に建築用の杭を地盤に圧入する際に、油圧ジャッキによって杭を圧入し、杭を回転させるには別に電動モータ等を利用しているので、同時施工においては二重の施工機械が必要になり、全体が大きくなり重量も嵩んで、取り扱いに手間が掛かり作業性が悪くなる。このように、ピストンロッドを昇降させるとともに、回転させるものは見あたらない。本発明に係る回転伸縮ジャッキは、このような課題を解決するために提案されたものである。
【課題を解決するための手段】
【０００５】
本発明に係る回転伸縮ジャッキの上記課題を解決して目的を達成するための要旨は、先端に載荷用のヘッドを有するピストンと、該ピストンを摺動自在に油圧室に内装し当該油圧室に外部と連通させる貫通孔が設けられると共に前記ヘッドを一端側開口部から外部に突出させる有底筒状体のシリンダと、前記ピストンの軸心に沿ってピストン中央部に穿設された凹部のネジ溝にほぼ全体が螺合し一端部が前記シリンダ内部の底部中央に起立させて立設されネジ棒とからなることである。
【０００６】
本発明に係る回転伸縮ジャッキの要旨は、先端に載荷用のヘッドを有しその後部にネジ部を有するとともに該ネジ部の後部に円筒状の本体部を有するピストンと、該ピストンの本体部を摺動自在に油圧室に内装し当該油圧室に外部と連通させる貫通孔が設けられると共に前記ピストンのネジ部と螺合するネジ部が前記油圧室に連通する筒部の内周壁面に刻設され前記ヘッドを当該連通する筒部の一端側開口部から外部に突出させる有底筒状体のシリンダとからなることである。
【発明の効果】
【０００７】
本発明の回転伸縮ジャッキによれば、ピストンを上昇させると、前記ネジ棒とのネジ対偶により、また、ピストンのネジ部とシリンダのネジ部とのネジ対偶により、当該ピストンがネジ溝により回転せしめられ、上昇すると共に回転することになる。よって、この回転伸縮ジャッキにより圧入される対象物や上昇若しくは加工される対象物が、押圧されると共に回転力が付与されることになり、負荷が軽減されると共に、作業工程を別々に分けることなく効率的に施工することができる。
【０００８】
更に、前記回転伸縮ジャッキにより、例えば、地盤に貫入させる杭等が、回転しながら圧入されるので、土砂を攪拌しながら押し込まれることになり、地盤にスムーズに杭が貫入されていき、作業能率が向上する。特に建物基礎下の狭い作業空間で杭を地盤に貫入させる工事では、大型の杭打ち込み機械やアースオーガ等を使用することができないので、本発明のジャッキのように、小型で作業性が良く、安価なものが経済性の高いジャッキとして、種々の加工や工事等において大きく貢献するものである。
【発明を実施するための最良の形態】
【０００９】
本発明に係る回転伸縮ジャッキ１を図面を参照して説明する。従来例に対応する部分には従来例と同一の符号を付けて説明する。前記ジャッキ１の構造は、図１に示すように、先端に載荷用のヘッド２ａを有するピストン２と、該ピストン２を摺動自在に油圧室３ａ，３ｂに内装し当該油圧室３ａ，３ｂに外部と連通させる貫通孔３ｃ，３ｄが設けられると共に、前記ヘッド２ａを一端側開口部３ｅから外部に突出させる有底筒状体のシリンダ３とがある。この回転伸縮ジャッキ１の材質は、例えば、鉄、鋼、アルミニウム等の金属製、または、プラスチック製である。
【００１０】
前記ピストン２には、その軸心に沿ってピストン中央部において、前記油圧室内のピストン端面から内部の奥に向かって凹部２ｂが穿設されている。この凹部２ｂの内周壁面には、ネジ溝２ｃが刻設されている。このネジ溝２ｃの傾きであるリード角は、ピストン２が軸心方向に押圧されることで回転することのできる角度に設定される。
【００１１】
そして、前記凹部２ｂのネジ溝２ｃにほぼ全体長さで螺合し、その一端部が前記シリンダ内部の底部中央３ｆに起立させて立設されたネジ棒４がある。このネジ棒４は、前記ピストン２の昇降をガイドするので、その長さは、図示するように、前記凹部２ｂのネジ溝２ｃの長さとほぼ同じ程度である。
【００１２】
なお、図１に示すように、ネジ棒４と前記ピストン２の凹部２ｂのネジ溝２ｃを螺合させた場合に、初期状態では、ネジ棒４の上端面と凹部２ｂの底面との間に、若干の空間ができる。この空間は真空になるのではなく、例えば、ピストン側若しくはネジ棒側に前記空間と油圧室３ｂに連通する連通孔若しくは連通溝を設けるようにして、又は、ネジ部の嵌合の隙間を緩くしておくことで、油圧室３ｂの油が前記空間に侵入するようにして、外部と油が行き来するように連通させておくものである。
【００１３】
前記シリンダ３の貫通孔３ｃ，３ｄは、それぞれ油圧供給装置（図示せず）に油圧ホースを介して連結されている。また、この油圧供給装置には制御部（図示せず）が設けられている。なお、符号５は、それぞれ、オイルシール用のパッキンを示している。
【００１４】
この回転伸縮ジャッキ１を使用するには、例えば、図１に示す初期状態から図２（Ａ）に示すように、前記油圧供給装置から油圧ホースを介して貫通孔３ｄから油圧室３ｂに高圧油を送り込む。それにより、ピストン２は油圧で押し上げられながら、ピストン２のネジ溝２ｃとネジ棒４との螺合により、図中の矢印ａに示すように、回転する。こうして、ピストン２におけるヘッド２ａの先にある対象物、例えば、杭やビスネジやその他の圧入物等が、ヘッド２ａに固定する固定用のアタッチメントを介して押し込まれながら、且つ、回転されるものである。
【００１５】
前記ピストン２を初期状態に戻すには、油圧供給装置で油圧ホースを介して、貫通孔３ｃから油圧室３ａに高圧油を供給すると共に、前記油圧室３ｄの油を貫通孔３ｄから抜き出して当該油圧供給装置に戻すものである。これにより、ピストン２が上記の場合の回転に対して、逆回転しながら下降するものである。
【００１６】
また、図２（Ｂ）に示すように、前記ヘッド２ａを下向きにして使用することもできる。こうすることで、例えば、地盤に貫入させる杭６を、地盤の土砂を攪拌しながら貫入するのようになり、スムーズに貫入させることができるものである。建物の下に支持補強用の杭を打つ場合等では、基礎部下の狭い作業空間における作業となるので、この回転伸縮ジャッキ１を使うことで、作業が容易になり、工程数も低減され、安全確実に杭を打てるようになるものである。
【００１７】
次に、本発明の他の実施例を説明する。図３（Ａ），（Ｂ）に示すように、ピストン２にネジ部を設け、そのネジ部を回転させるために螺合するネジ部を、シリンダ３に設けた回転伸縮ジャッキ１ａである。このジャッキ１ａの構成は、先端に載荷用のヘッド２ａを有しその後部にネジ部２ｄを有するとともに該ネジ部２ｄの後部に円筒状の本体部２ｅを有するピストン２がある。
【００１８】
前記ピストン２の本体部２ｅを摺動自在に油圧室３ａ，３ｂに内装し、当該油圧室３ａ，３ｃに外部と連通させる貫通孔３ｃ，３ｄが設けられると共に、前記ピストン２のネジ部２ｄと螺合するネジ部３ｇが前記油圧室３ａに連通する筒部３ｈの内周壁面に刻設され、前記ヘッド２ａを当該連通する筒部３ｈの一端側開口部３ｅから外部に突出させる有底筒状体のシリンダ２がある。
【００１９】
前記ジャッキ１ａの使用方法を説明すると、図３（Ｂ）に示すように、油圧供給装置からホースを介して貫通孔３ｄそして油圧室３ｂに高圧油を供給する。また、油圧室３ａから貫通孔３ｃそして油圧ホースを介して油圧供給装置に油を戻す。これにより、ピストン２が、そのネジ部２ｄとシリンダ３のネジ部３ｇとの螺合により、図中の矢印ｂが示すように回転しながら上昇する。
【００２０】
前記ピストン２を初期状態に戻すには、油圧室３ａに高圧油を供給し、油圧室３ｂから油を抜いて油圧供給装置に戻すものである。こうして、ピストン２が逆回転しながら下降するものである。よって、上記ジャッキ１と同様の作用・効果を奏するものである。
【図面の簡単な説明】
【００２１】
【図１】本発明に係る回転伸縮ジャッキ１の縦断面図である。
【図２】同本発明の回転伸縮ジャッキ１の使用方法を説明する説明図（Ａ），（Ｂ）である。
【図３】他の実施例に係る回転伸縮ジャッキ１ａの縦断面図（Ａ）と、その使用状態の説明図（Ｂ）とである。
【図４】従来例に係る油圧ジャッキ１０の縦断面図である。
【図５】同従来例に係る油圧ジャッキ１１の縦断面図である。
【符号の説明】
【００２２】
１，１ａ    回転伸縮ジャッキ、
２          ピストン、          ２ａ      ヘッド、
２ｂ        凹部、              ２ｃ      ネジ溝、
２ｄ        ネジ部、            ２ｅ      本体部、
２ｆ        ネジ溝、
３          シリンダ、          ３ａ      油圧室、
３ｂ        油圧室、            ３ｃ      貫通孔、
３ｄ        貫通孔、            ３ｅ      一端側開口部、
３ｆ        底部中央、          ３ｇ      ネジ部、
３ｈ        筒部、
４          ネジ棒、
５          パッキン、
６          杭、
７          カラーナット、
１０，１１  従来例の油圧ジャッキ。
【図１】
2007039220.tif 000003
【図２】
2007039220.tif 000004
【図３】
2007039220.tif 000005
【図４】
2007039220.tif 000006
【図５】
2007039220.tif 000007
【手続補正書】
【提出日】平成17年8月10日(2005.8.10)
【手続補正１】
【補正対象書類名】図面
【補正対象項目名】図５
【補正方法】変更
【補正の内容】
【図５】
2007039220.tif 000008